(57)【特許請求の範囲】
【請求項１】
高粘度物質の流入出口を底面部に形成した容器本体と、
この容器本体の内面に沿って配設された変形可能な袋体と、
この袋体の内側にこの袋体の内周面に沿って昇降自在に配設され前記容器本体の内底部より離間した位置まで下降される重錘リング体とを具備し、
前記重錘リング体は鎖によって昇降自在に吊り下げ、この鎖によってこの重錘リング体の下降位置を規制する
ことを特徴とする高粘度物質容器。
【請求項２】
重錘リング体に一端を連結したワイヤーの他端側を容器本体の上面側から導出し、このワイヤーの他端に前記容器本体の外周面に沿って昇降するゲージ錘を取り付けたことを特徴とする請求項１記載の高粘度物質容器。
【発明の詳細な説明】
【０００１】
【発明の属する技術分野】
本発明は、印刷インキ、グリース、パテ、シーリング材、接着剤などの高粘度物質を収容する高粘度物質容器に関するものである。
【０００２】
【従来の技術】
従来のこの種の印刷インキ、グリース、パテ、シーリング材、接着剤などの高粘度物質を収容する高粘度物質容器は、高粘度物質の流入出口を底部に形成した容器本体の内面に沿って変形可能な袋体を配設し、この容器本体の底部に形成した流入出口から高粘度物質をこの容器本体内に高粘度ポンプで圧送して流入または流出させる構造が採られていた。
【０００３】
そして、この高粘度物質容器は、流入出口から高粘度物質が圧送流入されると、高粘度物質により袋体の底面部が押し上げられ、また、流入出口から高粘度物質が流出されると、袋体の底面部が下降される。
【０００４】
【発明が解決しようとする課題】
上記高粘度物質容器では、高粘度ポンプで吸引して、容器本体内の高粘度物質が殆ど流出された状態で、さらに高粘度ポンプで吸引すると、袋体の底面部は容器本体の内底面に接触されるまで下降し、このとき、高粘度物質が袋体の外周面と容器本体の内周面との間に入り込み、この高粘度物質の流入、流出の反復で袋体の外周面と容器本体の内周面との間に入り込んだ高粘度物質が浮子体の上部周縁部に溜ることになり、高粘度物質が塊状となって袋体底面部の昇降が円滑に行われなくなり、高粘度物質の流入、流出が確実に行われなくなるおそれがあるなどの問題があった。
【０００５】
本発明は、このような点に鑑みなされたものであり、高粘度物質が円滑に流入、流出されるようにした高粘度物質容器を提供するものである。
【０００６】
【課題を解決するための手段】
請求項１記載の発明の高粘度物質容器は、高粘度物質の流入出口を底面部に形成した容器本体と、この容器本体の内面に沿って配設された変形可能な袋体と、この袋体の内側にこの袋体の内周面に沿って昇降自在に配設され前記容器本体の内底部より離間した位置まで下降される重錘リング体とを具備し、前記重錘リング体は鎖によって昇降自在に吊り下げ、この鎖によってこの重錘リング体の下降位置を規制するものである。
【０００７】
そして、流入出口から高粘度物質が圧送流入されると、高粘度物質により袋体の底面部が重錘リング体とともに押し上げられ、袋体の周面部は蛇腹状に折りたたまれ、また、流入出口から高粘度物質が流出されると、重錘リング体とともに袋体は折りたたまれた周面部が伸びて底面部が下降される。容器本体内の高粘度物質が殆ど流出されたときでも、重錘リング体は容器本体の内底部より離間した位置まで下降し、袋体の底面部が容器本体の内底面に接触しないので、容器本体の底部に残留している高粘度物質が袋体の外周面と容器本体の内周面との間に入り込むことがなく、この高粘度物質の流入、流出の反復で袋体の外周面と容器本体の内周面との間に入り込んだ高粘度物質が塊状となることがなく、重錘リング体の昇降が円滑に行われ、高粘度物質の流入、流出が確実に行われる。また、重錘リング体は鎖によって確実に下降位置を規制され、袋体の底面部が容器本体の内底面に接触しないので、容器本体の底部に残留している高粘度物質が袋体の外周面と容器本体の内周面との間に入り込むことがなく、この高粘度物質の流入、流出の反復で袋体の外周面と容器本体の内周面との間に入り込んだ高粘度物質が塊状となることがなく、重錘リング体の昇降が円滑に行われ、高粘度物質の流入、流出が確実に行われる。
【０００８】
請求項２記載の発明の高粘度物質容器は、請求項１記載の高粘度物質容器において、重錘リング体に一端を連結したワイヤーの他端側を容器本体の上面側から導出し、このワイヤーの他端に前記容器本体の外周面に沿って昇降するゲージ錘を取り付けたものである。
【０００９】
そして、袋体の底面部が流入された高粘度物質によって押し上げられて重錘リング体が上昇すると、ゲージ錘は容器本体の外周面に沿って下降し、高粘度物質が流出されて重錘リング体が下降すると、ゲージ錘は容器本体の外周面に沿って上昇し、このゲージ錘の位置によって容器本体内に収容されている高粘度物質量を測定できる。
【００１０】
【発明の実施の形態】
次ぎに本発明の一実施の形態を図１および図２に基いて説明する。
【００１１】
容器本体10は有底の円筒状に形成され、この容器本体10の底面部には高粘度物質の流入出口11が形成され、この流入出口11の外方には略Ｌ字状に屈曲した注入吐出管12が接続されている。また、この注入吐出管12の中間部には栓などで開閉自在の点検孔13が設けられている。
【００１２】
また、前記容器本体10は基台14上に設置され、この容器本体10の注入吐出管12は前記基台14内に配設され、この注入吐出管12には図示しない高粘度ポンプが接続されている。
【００１３】
次に、前記容器本体10の内面に沿って耐印刷インキ性、または耐薬品性の布、または合成樹脂シートなどにて成型した変形可能な袋体15が配設されている。この袋体15は前記容器本体10の内径と略同一の外径を有し、この袋体15の底部は昇降されるようになっている。この袋体15の内周に沿って複数の保形リング16が取り付けられている。
【００１４】
また、図２に示すように、前記袋体15内にはこの袋体15の内径と略同一の外径で鉄などにて環状に成型された重錘リング体17がこの容器本体10の内周面に沿って昇降自在に配設されている。この重錘リング体17の内周面には十字状の補強片18の各端部が固着され、この補強片18の中央部には連結環19が設けられ、さらに、この重錘リング体17の内周面には複数の吊り環20が設けられている。
【００１５】
さらに、前記容器本体10の上面開口部には開閉自在の蓋板21が設けられ、この蓋板21の内面には前記袋体15の開口縁部が固着され、さらに、この蓋板21には重錘リング体17の吊り環20に対向して複数の吊り環22が設けられ、この重錘リング体17の各吊り環20と蓋板21の各吊り環22とに鎖23の両端がそれぞれ連結され、この各鎖23によって前記重錘リング体17は容器本体10の底部より離間した位置までに下降されるように下降位置が規制される。
【００１６】
また、前記重錘リング体17の連結環19に一端を連結したワイヤー24の他端側は容器本体10の上面蓋板21の中心孔25から導出され、このワイヤー24の他端は前記蓋板21の上面に設けた案内ローラ26とこの蓋板21の周縁部に設けた案内ローラ27に案内されて前記容器本体10の外周面に沿って下方に向って誘導され、このワイヤー24の他端には前記容器本体10の外周面に沿って昇降するゲージ錘28が取り付けられている。また、前記容器本体10の外周面にはゲージ錘28の昇降域にこの容器本体10に収容された高粘度物質29の収容量を示す図示しないゲージが設けられている。
【００１７】
次に、この実施の形態の作用を説明する。
【００１８】
高粘度ポンプにより容器本体10に流入出口11から高粘度物質29が圧送流入されると、図３に示すように、高粘度物質29により袋体15の底面部が弧状に上方に向って湾曲した状態で重錘リング体17とともに押し上げられ、図６に示すように、袋体15は重錘リング体17の内側に引き込むことがなく、さらに、図４から図５に示すように、袋体15の周面部は蛇腹状に順次に折りたたまれ、容器本体10内には高粘度物質29が収容される。また、このとき、鎖23は弛ん込まれる。
【００１９】
また、袋体15の底面部が流入された高粘度物質29によって押し上げられて重錘リング体17が上昇すると、ゲージ錘28は容器本体10の外周面に沿って下降し、図示しないゲージによって容器本体10内に収容されている高粘度物質の収容量を確認できる。
【００２０】
また、容器本体10内の高粘度物質29が流入出口11から流出されて重錘リング体17が下降すると、重錘リング体17とともに袋体15は折りたたまれた周面部が伸びて底面部が下降される。そして、容器本体10内の高粘度物質29が殆ど流出されたときでも、重錘リング体17は容器本体10の内底部より寸法Ｈ１離間した位置まで下降したとき、鎖23は伸びきり、重錘リング体17はそれ以上下降しないので、袋体15の底面部が容器本体10の内底面に接触することがなく、図６に示すように容器本体10の底部に残留している高粘度物質29が袋体15の外周面と容器本体10の内周面との間に入り込むことがない。
【００２１】
そして、高粘度物質の流入により袋体15の底面部が上方に弧状に湾曲して上端まで上昇するとき、袋体15の底面部の弧状湾曲の高さＨ２は略一定で袋体15の周面部を引き込むことがなく、高粘度物質の流入、流出の反復で袋体15の外周面と容器本体10の内周面との間に高粘度物質が入り込むことがなく、高粘度物質29が図７に示すように、塊状となることがなく、重錘リング体17が傾いたりすることなく、重錘リング体17の昇降が円滑に行われ、高粘度物質29の流入、流出が確実に行われる。
【００２２】
【発明の効果】
請求項１記載の発明によれば、流入出口から高粘度物質が圧送流入されると、高粘度物質により袋体の底面部が重錘リング体とともに押し上げられ、袋体の周面部は蛇腹状に折りたたまれ、また、流入出口から高粘度物質が流出されると、重錘リング体とともに袋体は折りたたまれた周面部が伸びて底面部が下降される。容器本体内の高粘度物質が殆ど流出されたときでも、重錘リング体は容器本体の内底部より離間した位置まで下降し、袋体の底面部が容器本体の内底面に接触しないので、容器本体の底部に残留している高粘度物質が袋体の外周面と容器本体の内周面との間に入り込むことがなく、この高粘度物質の流入、流出の反復で袋体の外周面と容器本体の内周面との間に入り込んだ高粘度物質が塊状となることがなく、重錘リング体の昇降が円滑に行われ、高粘度物質の流入、流出が確実に行われる。また、重錘リング体は鎖によって確実に下降位置を規制され、容器本体の底部に残留している高粘度物質が袋体の外周面と容器本体の内周面との間に入り込むことがなく、この高粘度物質の流入、流出の反復で袋体の外周面と容器本体の内周面との間に入り込んだ高粘度物質が塊状となることがなく、重錘リング体項の昇降が円滑に行われ、高粘度物質の流入、流出が確実に行われる。
【００２３】
請求２記載の発明によれば、袋体の底面部が収容された高粘度物質量によってゲージ錘は容器本体の外周面に沿って昇降し、このゲージ錘の位置によって容器本体内に収容されている高粘度物質量を確認できる。
【図面の簡単な説明】
【図１】本発明の高粘度物質容器の一実施の形態を示す断面図である。
【図２】同上重錘リング体の平面図である。
【図３】同上高粘度物質が容器本体に流入される初期の状態を示す一部の断面図である。
【図４】同上高粘度物質が容器本体に流入されて袋体の底面部が上昇を開始する状態を示す一部の断面図である。
【図５】同上高粘度物質が容器本体に流入されて袋体の底面部が重錘リング体とともに上昇している状態を示す断面図である。
【図６】同上高粘度物質が容器本体に流入されて袋体の底面部が引き込まれて上昇している状態を示す仮定の説明断面図である。
【図７】同上高粘度物質が容器本体に流入されて袋体と容器本体との間に高粘度物質が入り込んだ状態を示す仮定の説明断面図である。
【符号の説明】
10    容器本体
11    流入出口
15    袋体
17    重錘リング体
23    鎖
24    ワイヤー
28    ゲージ錘
29    高粘度物質
【図１】
0003631082.tif 000002
【図２】
0003631082.tif 000003
【図３】
0003631082.tif 000004
【図４】
0003631082.tif 000005
【図５】
0003631082.tif 000006
【図６】
0003631082.tif 000007
【図７】
0003631082.tif 000008